(57)【要約】【課題】貯留タンク内の水を空気中へ付与する加湿手段を備えた加湿装置において、貯留タンク内の水を安定的に浄化できるようにする。【解決手段】貯留タンク（41）内で生成された水蒸気を内壁面（32）と熱交換させて凝縮させることでその表面に水膜（W）を形成し、水浄化用放電部（31）により水膜（W）に対して放電を行うことで、この水膜（W）に含まれる有害物質等を活性種で分解除去し、水膜（W）を浄化する。【選択図】図２
2009198067.tif 000002
【特許請求の範囲】
【請求項１】
貯留タンク（41）内の水を空気中へ付与して空気を加湿する加湿装置であって、
水を浄化するための活性種を生成するように放電が行われる放電処理手段（31）と、
前記貯留タンク（41）内に設けられ、水の凝縮によりその表面に水膜（W）が形成される水膜形成部（32）とを備え、
前記放電処理手段（31）は、前記水膜形成部（32）の表面に形成された水膜（W）に対して活性種を供給するように構成されていることを特徴とする加湿装置。
【請求項２】
請求項１において、
前記貯留タンク（41）内の水を加熱する加熱手段（36）を備え、
前記加熱手段（36）で加熱された水が前記水膜形成部（32）で凝縮されてその表面に水膜（W）が形成されることを特徴とする加湿装置。
【請求項３】
請求項１又は２において、
少なくとも前記水膜形成部（32）を冷却する冷却手段（53）を備え、
前記冷却手段（53）で前記水膜形成部（32）を冷却することで、該水膜形成部（32）で水が凝縮されてその表面に水膜（W）が形成されることを特徴とする加湿装置。
【請求項４】
請求項１乃至３のうち何れか１項において、
前記水膜形成部（32）は、前記貯留タンク（41）の内壁面（32）で構成されていることを特徴とする加湿装置。
【請求項５】
請求項１乃至３のうち何れか１項において、
前記水膜形成部（32）は、前記貯留タンク（41）内に配設された構造体（52）で構成されていることを特徴とする加湿装置。
【請求項６】
請求項１乃至５のうち何れか１項において、
前記水膜形成部（32）の少なくとも表面は、親水性材料で構成されていることを特徴とする加湿装置。
【請求項７】
請求項１乃至６のうち何れか１項において、
前記水膜形成部（32）の表面には、凹凸部が形成されていることを特徴とする加湿装置。
【請求項８】
請求項１乃至７のうち何れか１項において、
前記放電処理手段（31）は、ストリーマ放電を行うように構成されていることを特徴とする加湿装置。
【発明の詳細な説明】
【技術分野】
【０００１】
本発明は、加湿装置に関するものである。
【背景技術】
【０００２】
従来より、室内等の空気を加湿して湿度を調整する加湿装置が知られている（例えば、特許文献１参照）。この加湿装置は、水を貯留する貯留タンクと、空気通路に跨るように配置される円板状の加湿ロータとを備えている。加湿ロータは、その下部が貯留タンク内の水中に浸漬されている。
【０００３】
前記加湿装置の運転時には、加湿ロータが連続的に回転する。加湿ロータでは、貯留タンク中で水分を含んだ部位が前記空気通路まで変位する。この部位を空気が通過することで、加湿ロータ中の水分が空気へ付与される。以上のようにして加湿された空気は、空気通路を流出して室内等へ供給される。
【０００４】
ところで、従来の加湿装置では、貯留タンク内に水が貯留されるので、この水中で菌が増殖して水が汚染されることがある。また、例えば空気通路を流れる空気中にアンモニア等の物質（有害物質や臭気物質）が含まれている場合、この物質が水中に溶解して貯留タンク内の水が汚染されることもある。従って、このような汚染水が加湿水として室内へ供給されると、室内の清浄度が損なわれてしまう。また、このような汚染水を適宜排水する場合には、排水系統（例えば下水道）の水質汚濁負荷が大きくなってしまう。
【０００５】
そこで、特許文献２に開示されているように、貯留タンク内の水を浄化するために、貯留タンク内の水面に向かって放電を行う技術を加湿装置に適用することが考えられる。具体的に、貯留タンクの水面よりも高い所定位置に放電用の電極を配置し、この放電電極と貯留タンク内の水との間に電位差を付与することで、放電電極から水面に向かって放電を生起できる。この放電の発生に伴い空気中又は水中でラジカル等の活性種を生成することで、活性種により水中の殺菌を行ったり、水中に溶存する有害物質等を酸化分解して除去できる。
【特許文献１】特開２００７−１３９２５１号公報
【特許文献２】特許第３３２２６５４号公報
【発明の開示】
【発明が解決しようとする課題】
【０００６】
しかしながら、上述した構成の放電手段では、放電電極と水面との間の距離（すなわち、電極間距離）を一定に保つことができず、所望とする放電を行うことができないという問題が生じる。具体的に、貯留タンク内に貯留される水の水位は、加湿動作に伴う加湿水の消費や貯留タンク内への加湿水の補給に伴って大きく変動する。従って、この放電手段では、放電電極と水面との間の距離を一定に保つことができず、電極間距離が短くなり過ぎてスパーク等の異常放電が生じたり、電極間距離が長くなり過ぎて活性種の生成量が減少したりするという問題が生じる。
【０００７】
本発明は、かかる点に鑑みてなされたものであり、その目的は、貯留タンク内の水を空気中へ付与する加湿手段を備えた加湿装置において、貯留タンク内の水を安定的に浄化できるようにすることにある。
【課題を解決するための手段】
【０００８】
上述した目的を達成するため、本発明は、水の凝縮によって形成された水膜に対して放電を行うようにした。
【０００９】
具体的に、本発明は、貯留タンク（41）内の水を空気中へ付与して空気を加湿する加湿装置を対象とし、次のような解決手段を講じた。
【００１０】
すなわち、第１の発明は、水を浄化するための活性種を生成するように放電が行われる放電処理手段（31）と、
前記貯留タンク（41）内に設けられ、水の凝縮によりその表面に水膜（W）が形成される水膜形成部（32）とを備え、
前記放電処理手段（31）は、前記水膜形成部（32）の表面に形成された水膜（W）に対して活性種を供給するように構成されていることを特徴とするものである。
【００１１】
第２の発明は、第１の発明において、
前記貯留タンク（41）内の水を加熱する加熱手段（36）を備え、
前記加熱手段（36）で加熱された水が前記水膜形成部（32）で凝縮されてその表面に水膜（W）が形成されることを特徴とするものである。
【００１２】
第３の発明は、第１又は第２の発明において、
少なくとも前記水膜形成部（32）を冷却する冷却手段（53）を備え、
前記冷却手段（53）で前記水膜形成部（32）を冷却することで、該水膜形成部（32）で水が凝縮されてその表面に水膜（W）が形成されることを特徴とするものである。
【００１３】
第４の発明は、第１乃至第３の発明のうち何れか１つにおいて、
前記水膜形成部（32）は、前記貯留タンク（41）の内壁面（32）で構成されていることを特徴とするものである。
【００１４】
第５の発明は、第１乃至第３の発明のうち何れか１つにおいて、
前記水膜形成部（32）は、前記貯留タンク（41）内に配設された構造体（52）で構成されていることを特徴とするものである。
【００１５】
第６の発明は、第１乃至第５の発明のうち何れか１つにおいて、
前記水膜形成部（32）の少なくとも表面は、親水性材料で構成されていることを特徴とするものである。
【００１６】
第７の発明は、第１乃至第６の発明のうち何れか１つにおいて、
前記水膜形成部（32）の表面には、凹凸部が形成されていることを特徴とするものである。
【００１７】
第８の発明は、第１乃至第７の発明のうち何れか１つにおいて、
前記放電処理手段（31）は、ストリーマ放電を行うように構成されていることを特徴とするものである。
【発明の効果】
【００１８】
第１の発明によれば、貯留タンク（41）内の水を水膜形成部（32）で凝縮させてその表面に水膜（W）を形成し、放電処理手段（31）によりこの水膜（W）に対して放電を行うことで、水膜（W）に含まれる有害物質等が活性種（ラジカル、オゾン、高速電子、励起分子等）で分解除去され、水膜（W）を浄化することができる。従って、本発明によれば、加湿水の消費や補充に伴って貯留タンク（41）の水位が変動しても、この水位の変動に影響を受けることなく、放電処理手段（31）で安定した放電を行うことができ、放電処理手段（31）で発生した活性種により確実に水膜（W）を浄化することができる。
【００１９】
さらに、活性種を含んだ水膜（W）が、自重により貯留タンク（41）内で流下して水と混ざり合うことで、貯留タンク（41）内の水を効率良く浄化できる。その結果、このように浄化した水を加湿することで、空気中へ付与する水の清浄度を保つことができる。従って、例えば汚染された水が室内へ供給されて室内の清浄度が損なわれてしまうことも回避でき、この加湿装置の信頼性を確保できる。
【００２０】
第２の発明によれば、加熱手段（36）で貯留タンク（41）内の水を加熱するようにしたから、貯留タンク（41）内の水を蒸発させて水蒸気を生成し、この水蒸気を水膜形成部（32）で凝縮させることで、水膜形成部（32）の表面に確実に水膜（W）を形成することができる。
【００２１】
第３の発明によれば、冷却手段（53）で水膜形成部（32）を冷却することで、貯留タンク（41）内の水が水膜形成部（32）で凝縮されるから、水膜形成部（32）の表面に確実に水膜（W）を形成することができる。
【００２２】
第４の発明によれば、貯留タンク（41）の内壁面（32）を水膜形成部（32）として用いているから、水膜（W）を形成するための専用の部材を設ける必要がなく、部品点数を削減しつつ、放電処理手段（31）で安定した放電を行うことができる。
【００２３】
第５の発明によれば、貯留タンク（41）内に配設された構造体（52）で水膜形成部（32）を構成し、その表面に向かって形成された水膜（W）に向かって放電を行うことで、放電に伴い発生する活性種が水膜（W）に効率良く接触して反応するので、水の浄化能力が向上する。
【００２４】
第６の発明によれば、水膜形成部（32）の少なくとも表面を親水性材料で構成したから、表面に水（水膜）が保持されやすくなり、放電処理手段（31）から水膜形成部（32）に対して放電を行う際に、多量の水を活性種と反応させることができ、水の浄化効率が向上する。
【００２５】
第７の発明によれば、水膜形成部（32）の表面に凹凸部を形成したから、表面に水膜（W）が保持されやすくなり、放電処理手段（31）から水膜形成部（32）に対して放電を行う際に、多量の水を活性種と反応させることができ、水の浄化効率が向上する。
【００２６】
第８の発明によれば、放電処理手段（31）でストリーマ放電を行うようにしたから、放電に伴い発生する活性種と水膜（W）の接触効率を高めることができ、水の浄化効率を高めることができる。
【発明を実施するための最良の形態】
【００２７】
以下、本発明の実施形態を図面に基づいて説明する。なお、以下の好ましい実施形態の説明は、本質的に例示に過ぎず、本発明、その適用物或いはその用途を制限することを意図するものではない。
【００２８】
＜全体構成＞
図１は、本発明の実施形態に係る加湿装置の全体構成を示す斜視図、図２は加湿装置の内部を表した概略の縦断面図である。図１及び図２に示すように、この加湿装置（10）は、空気を加湿する加湿運転を行うとともに空気を浄化するものであり、種々の空気浄化手段とを備えている。
【００２９】
前記加湿装置（10）は、ケーシング（11）を有している。ケーシング（11）は、前後に扁平な矩形状に形成されている。ケーシング（11）には、その前側（図１における左側寄り）に前面パネル（11a）が形成されている。前面パネル（11a）には、空気をケーシング（11）内に導入するための吸込口（12）が形成されている（図２を参照）。吸込口（12）は、例えば前面パネル（11a）の左右側方にそれぞれ形成されている。また、ケーシング（11）には、その上部後方寄りの部位にケーシング（11）内の空気を吹き出すための吹出口（13）が形成されている。そして、ケーシング（11）の内部には、前記吸込口（12）から吹出口（13）に亘って空気が流通する空気通路（14）が形成されている。
【００３０】
図２に示すように、空気通路（14）には、空気の流れの上流側から下流側に向かって順に、プレフィルタ（21）、イオン化部（22）、プリーツフィルタ（23）、脱臭部材（24）、及び加湿ユニット（40）、及び遠心ファン（18）が設けられている。
【００３１】
また、前記遠心ファン（18）の上方で且つ吹出口（13）の下側には、返送通路（15）の流入端が開口している。つまり、返送通路（15）には、空気通路（14）から吹出口（13）へ流出する空気の一部が分流する。返送通路（15）は、空気通路（14）と区画されるように前後に延びる空間を構成している。返送通路（15）の流出端は、プレフィルタ（21）の上流側と繋がっている。また、返送通路（15）の流出端近傍には、空気浄化用放電部（25）が形成されている。
【００３２】
図３に示すように、プレフィルタ（21）の前側には、前記返送通路（15）と連通する案内通路（16）が形成されている。案内通路（16）は、例えば前記前面パネル（11a）の背面側に形成される仕切部材等によって区画形成されている。案内通路（16）は、返送通路（15）を流出した空気をプレフィルタ（21）の幅方向の中間部まで案内し、この空気を左右側方に流出させてプレフィルタ（21）側へ送るように構成されている（図３の矢印を参照）。以上のように、本実施形態の加湿装置（10）は、空気通路（14）の流出側の空気の一部を前記空気浄化用放電部（25）を通じて空気通路（14）の流入側へ返送するように構成されている。
【００３３】
＜空気浄化手段の構成＞
図２に示すように、加湿装置（10）は、空気を浄化するための空気浄化手段として、上述したプレフィルタ（21）、イオン化部（22）、プリーツフィルタ（23）、脱臭部材（24）、及び空気浄化用放電部（25）を有している。
【００３４】
前記プレフィルタ（21）は、空気中に含まれる比較的大きな塵埃を物理的に捕捉する集塵用のフィルタを構成している。
【００３５】
前記イオン化部（22）は、空気中の塵埃を帯電させる塵埃荷電手段を構成している。イオン化部（22）には、例えば線状の電極と、この線状の電極に対向する板状の電極とが設けられている。イオン化部（22）では、両者の電極に電源（17）から電圧が印加されることで、両電極の間でコロナ放電が行われる。このコロナ放電により、空気中の塵埃が所定の電荷（正又は負の電荷）に帯電される。
【００３６】
前記プリーツフィルタ（23）は、波板状の静電フィルタを構成している。つまり、プリーツフィルタ（23）では、前記イオン化部（22）で帯電された塵埃が電気的に誘引されて捕捉される。なお、プリーツフィルタ（23）に光触媒等の脱臭用の材料を担持させても良い。
【００３７】
前記脱臭部材（24）は、ハニカム構造の基材の表面に空気を脱臭するための脱臭剤が担持されて構成されている。脱臭剤は、空気中の被処理成分（臭気物質や有害物質）を吸着する吸着剤や、該被処理成分を酸化分解するための触媒等が用いられる。
【００３８】
前記空気浄化用放電部（25）では、空気を浄化するためにストリーマ放電が行われる。空気浄化用放電部（25）には、棒状又は線状の電極（26）と、平板状の電極（27）とが設けられている。両者の電極（26,27）は、互いに平行に配置されている。電源（17）から両電極（26,27）に電圧が印加されると、棒状の電極（26）の先端から平板状の電極（27）に向かってストリーマ放電が生起される。このストリーマ放電により、空気中には活性種（ラジカル、オゾン、高速電子、励起分子等）が発生する。この活性種が空気中の被処理成分と反応することで、この被処理成分が酸化分解されて除去される。
【００３９】
＜加湿ユニットの構成＞
図４に示すように、加湿ユニット（40）は、水を貯留するための貯留タンク（41）と、貯留タンク（41）の水を汲み上げる水車（42）と、水車（42）によって汲み上げられた水を空気中へ付与する加湿手段を構成する加湿ロータ（43）と、加湿ロータ（43）を回転駆動するための駆動モータ（44）とを備えている。
【００４０】
前記貯留タンク（41）は、上側が開口する横長のタンクを構成している。貯留タンク（41）は、ケーシング（11）内の下部の空間に設置され、ケーシング（11）の引出口（11b）を通じて出し入れ自在に構成されている（図１を参照）。これにより、ユーザー等は貯留タンク（41）内に加湿用の水を適宜補充することができる。また、貯留タンク（41）の底面には、水車（42）を回転自在に保持するための軸受部材（41a）が立設している。
【００４１】
前記水車（42）は、前後に扁平な略円板状に形成され、その軸心部に回転軸（42a）が突設されている。回転軸（42a）は、前記軸受部材（41a）の上端に枢支されている。水車（42）は、貯留タンク（41）の加湿水中に一部（下端部を含む所定部位）が浸漬するように回転自在に設けられており、回転部材を構成している。
【００４２】
前記水車（42）には、その後側の側面（加湿ロータ（43）に面する側面）の軸周りに複数の後側凹部（42b）が形成されている。後側凹部（42b）は、加湿水を加湿ロータ（43）側へ汲み上げるための加湿用凹部を構成している。複数の後側凹部（42b）は、径方向外側に向かうに従って幅が拡大されるような略台形形状の開口を有している。また、後側凹部（42b）の開口の周方向の幅は、該後側凹部（42b）の内部空間の周方向の幅よりも狭くなっている。さらに、後側凹部（42b）の径方向内側の内壁は、開口端に向かうに連れて徐々に軸心側に近づくように傾斜している。各後側凹部（42b）は、水車（42）の径方向外側端部において周方向に等間隔で配列されている。回転動作中の水車（42）では、後側凹部（42b）が貯留タンク（41）の水中に浸漬する位置と、水中から引き出される位置とを交互に変位する。
【００４３】
また、前記水車（42）の後側の側面には、その軸心寄りの部位に歯車（42c）が一体的に形成されている。歯車（42c）は、後述する加湿ロータ（43）の従動歯車（43a）と噛み合うように構成されている。
【００４４】
前記加湿ロータ（43）は、環状の従動歯車（43a）と、この従動歯車（43a）に内嵌して保持される円板状の吸湿部材（43b）とを有している。吸湿部材（43b）は、吸水性を有する不織布によって構成されている。加湿ロータ（43）は、前記貯留タンク（41）の満水時の水位よりも高い位置において、回転軸を介して回転自在に保持されている。また、加湿ロータ（43）は、その下端を含む所定部位が前記水車（42）と実質的に接触するように配置されている。つまり、加湿ロータ（43）は、水車（42）の後側凹部（42b）と軸方向に一致する部位を有している。これにより、加湿ロータ（43）には、水車（42）の後側凹部（42b）によって汲み上げられた加湿水が吸湿部材（43b）に吸収可能に構成されている。
【００４５】
前記駆動モータ（44）は、駆動歯車（44a）を有している。駆動歯車（44a）は、ピニオン（45）を介して加湿ロータ（43）の従動歯車（43a）と歯合している。すなわち、駆動モータ（44）が駆動歯車（44a）を回転駆動させると、ピニオン（45）及び従動歯車（43a）が回転し、さらに従動歯車（43a）と歯合する水車（42）が回転する。
【００４６】
＜水浄化ユニットの構成＞
前記加湿装置（10）は、加湿水を浄化するための水浄化ユニット（30）をさらに備えている。この水浄化ユニット（30）は、放電処理手段としての水浄化用放電部（31）と、前記貯留タンク（41）内に設けられ、水の凝縮によりその表面に水膜（W）が形成される水膜形成部（32）とを備えている。なお、図２に示す例では、水膜形成部（32）は貯留タンク（41）の内壁面（32）で構成されている。
【００４７】
前記水浄化用放電部（31）は、貯留タンク（41）の内壁面（32）と対向するように配設されている。具体的に、水浄化用放電部（31）は、細長い線状に形成され、略円形状の縦断面を有する棒状電極（31a）を備えており、この棒状電極（31a）が貯留タンク（41）の内壁面（32）と平行な姿勢を保った状態で対向している。
【００４８】
前記貯留タンク（41）の下方には、貯留タンク（41）内の水を加熱する加熱ヒータ（36）（加熱手段）が設けられている。この加熱ヒータ（36）で貯留タンク（41）内の水を加熱すると、貯留タンク（41）内の水が蒸発して水蒸気が生成される。この水蒸気は、貯留タンク（41）の内壁面（32）と熱交換して凝縮される。これにより、内壁面（32）に水膜（W）が形成される。
【００４９】
なお、本実施形態では、前記加熱ヒータ（36）を用いて貯留タンク（41）内の水を積極的に蒸発させるようにしたが、外気温の変化等で自然に蒸発した水蒸気を内壁面（32）と熱交換して凝縮させることで水膜（W）を形成してもよい。
【００５０】
また、前記貯留タンク（41）の内壁面（32）を親水性材料で構成したり、親水性材料をコーティングしてもよい。また、内壁面（32）に凹凸部を形成するようにしてもよい。このようにすれば、内壁面（32）の表面に水膜（W）が保持されやすくなり、水浄化用放電部（31）から水膜（W）に対して放電を行う際に、多量の水を活性種と反応させることができ、水の浄化効率が向上する。
【００５１】
ここで、前記電源（17）から棒状電極（31a）に電圧が印加されると、棒状電極（31a）の先端から貯留タンク（41）の内壁面（32）に形成された水膜（W）に向かってストリーマ放電が生起される。このストリーマ放電により発生した活性種（ラジカル、オゾン、高速電子、励起分子等）は、水膜（W）に供給され、水膜（W）中の被処理成分と反応することで、この被処理成分が酸化分解されて除去される。
【００５２】
なお、前記水浄化用放電部（31）では、棒状電極（31a）が正極側となり、貯留タンク（41）の内壁面（32）が負極（若しくはアース極）側を構成している。なお、電源（17）から水浄化用放電部（31）へは、直流の高圧電圧が供給されることが好ましく、さらには水浄化用放電部（31）の放電電流が一定となるような、いわゆる定電流制御を行うことが好ましい。
【００５３】
−運転動作−
本実施形態に係る加湿装置（10）は、上述した各種の空気浄化手段によって空気の浄化が行われるとともに、加湿ユニット（40）により室内の加湿が同時に行われる。
【００５４】
具体的に、まず、駆動モータ（44）によって加湿ロータ（43）及び水車（42）が回転駆動される。また、遠心ファン（18）が運転されることで、室内の空気が吸込口（12）を通じて空気通路（14）内に導入される。さらに、電源（17）からは、空気浄化用放電部（25）の電極（26,27）に高圧の電圧が印加されるとともに、イオン化部（22）の電極に電圧が印加される。
【００５５】
図２に示すように、空気通路（14）に流入した空気は、プレフィルタ（21）を通過して塵埃が捕捉された後、イオン化部（22）を通過する。イオン化部（22）では、電極間でコロナ放電が行われており、空気中の塵埃が帯電される。イオン化部（22）を流出した空気は、プリーツフィルタ（23）を通過する。プリーツフィルタ（23）では、帯電した塵埃が電気的に誘引されて捕捉される。プリーツフィルタ（23）を流出した空気は、脱臭部材（24）を通過する。脱臭部材（24）では、空気中に含まれる被処理成分が吸着剤に吸着され、又は触媒によって酸化分解される。
【００５６】
ところで、空気通路（14）では、遠心ファン（18）の吹出側（陽圧側）の空気の一部が返送通路（15）に流入している。返送通路（15）を流れる空気は、前方に送られて空気浄化用放電部（25）を流れる。空気浄化用放電部（25）では、互いに対向する電極（26,27）の間でストリーマ放電が行われている。その結果、空気浄化用放電部（25）では、ストリーマ放電に伴い上述の活性種が発生する。この活性種を含んだ空気は、返送通路（15）を通じてプレフィルタ（21）の上流側を流れる空気と合流する。従って、空気通路（14）では、その流入端から流出端に亘って活性種が流れることになり、空気中の被処理成分と活性種との反応時間が確保されて脱臭性能が向上する。
【００５７】
加湿運転時には、脱臭部材（24）を通過した空気が加湿ロータ（43）へ流入する。ここで、加湿ユニット（40）では、水車（42）が回転することで、貯留タンク（41）内の加湿水が加湿ロータ（43）の吸湿部材（43b）に適宜供給される。具体的に、水車（42）では、貯留タンク（41）に貯留された加湿水中に後側凹部（42b）が浸漬する。これにより、加湿水中では、後側凹部（42b）内に加湿水が侵入して保持される。加湿水を保持した状態の後側凹部（42b）は、加湿水中から引き上げられてさらに上方へ変位する。この後側凹部（42b）が加湿ロータ（43）に徐々に近接していくと、後側凹部（42b）内に保持された加湿水も自重により徐々に後側凹部（42b）内から流出する。そして、後側凹部（42b）が最上端位置に変位する際には、後側凹部（42b）内の加湿水が概ね全量流出することになる。
【００５８】
前記後側凹部（42b）から流出した加湿水は、該後側凹部（42b）と近接する加湿ロータ（43）と接触し、吸湿部材（43b）に吸収される。このような動作により、加湿ユニット（40）では、加湿ロータ（43）に連続的に加湿水が供給される。
【００５９】
前記加湿ロータ（43）では、水分が補給された部位を空気が流通する。その結果、吸湿部材（43b）に含まれた加湿水が空気中へ放出され、これにより空気の加湿が行われる。以上のようにして清浄化及び加湿された空気は、吹出口（13）を通じて室内へ供給される。
【００６０】
なお、前記加湿運転では、電源（17）からイオン化部（22）や空気浄化用放電部（25）への電圧の供給を停止させることで、空気の浄化を積極的に行わない運転を行うことも可能である。また、加湿ユニット（40）の加湿動作を実質的に停止させる一方、イオン化部（22）や空気浄化用放電部（25）で前記の放電を行うことで、空気の加湿を行わずに空気の浄化を行う空気清浄運転を行うことも可能である。
【００６１】
＜加湿水の浄化動作＞
また、前記加湿装置（10）は、貯留タンク（41）中に貯留される加湿水の浄化を行う水浄化動作が可能となっている。本実施形態の加湿装置（10）では、前記加湿運転に連動するように水浄化動作が行われる。
【００６２】
水浄化動作時には、加熱ヒータ（36）により、貯留タンク（41）内の水が加熱され、水蒸気が生成される。この水蒸気は、貯留タンク（41）の内壁面（32）と熱交換して凝縮される。これにより、内壁面（32）に水膜（W）が形成される。また、電源（17）から水浄化用放電部（31）へ電圧が供給され、棒状電極（31a）から水膜（W）に向かってストリーマ放電が行われる。これにより生成された活性種は、水膜（W）に含まれている有害物質を酸化分解して除去する。
【００６３】
以上のように浄化された水膜（W）は、貯留タンク（41）の内壁面（32）から下方へ流下し、貯留タンク（41）内の水と混ざり合う。貯留タンク（41）内の水には、未だ活性種が残存しているので、貯留タンク（41）内では、水膜（W）に含まれていた活性種によって、加湿水中の有害物質の除去や殺菌が行われる。
【００６４】
以上のように、本実施形態に係る加湿装置（10）によれば、貯留タンク（41）内の水を加熱ヒータ（36）で蒸発させて水蒸気を生成し、この水蒸気を内壁面（32）と熱交換させて凝縮させることで内壁面（32）の表面に水膜（W）を形成し、水浄化用放電部（31）により水膜（W）に対して放電を行うことで、この水膜（W）に含まれる有害物質等が活性種で分解除去され、水膜（W）を浄化することができる。従って、本発明によれば、加湿水の消費や補充に伴って貯留タンク（41）の水位が変動しても、この水位の変動に影響を受けることなく、水浄化用放電部（31）で安定した放電を行うことができ、水浄化用放電部（31）で発生した活性種により確実に水膜（W）を浄化することができる。
【００６５】
さらに、活性種を含んだ水膜（W）が、自重により貯留タンク（41）内に流下して混ざり合うことで、貯留タンク（41）内の水を効率良く浄化できる。その結果、このように浄化した水を加湿することで、空気中へ付与する水の清浄度を保つことができる。従って、例えば汚染された水が室内へ供給されて室内の清浄度が損なわれてしまうことも回避でき、この加湿装置の信頼性を確保できる。
【００６６】
＜変形例＞
前記実施形態において、水浄化ユニット（30）を図５に示すような構成としてもよい。図５は、水浄化ユニット（30）の概略の構成を示す側面図である。図５に示すように、この水浄化ユニット（30）は、水浄化用放電部（31）と、水膜形成部（32）と、冷却用伝熱管（53）（冷却手段）とを備えている。
【００６７】
前記水膜形成部（32）は、貯留タンク（41）内に配設された構造体（52）で構成されている。具体的には、貯留タンク（41）内で立設する板状体で構成され、その表面に水膜（W）が形成される。なお、この構造体（52）の表面は、親水性材料で構成したり、親水性材料をコーティングしてもよい。また、表面に凹凸部を形成してもよい。このようにすれば、構造体（52）の表面に水膜（W）が保持されやすくなり、水浄化用放電部（31）から水膜（W）に対して放電を行う際に、多量の水を活性種と反応させることができ、水の浄化効率が向上する。
【００６８】
前記冷却用伝熱管（53）は、一端が水膜形成部（32）に取り付けられ、他端が貯留タンク（41）の内壁面に取り付けられており、水膜形成部（32）を貯留タンク（41）内で立設させた状態で支持している。この冷却用伝熱管（53）は、貯留タンク（41）外部の外気温と水膜形成部（32）の表面との間で熱交換させるものであり、貯留タンク（41）内の水蒸気が水膜形成部（32）の表面で凝縮して水膜（W）が形成されやすくしている。
【００６９】
なお、本変形例では、冷却手段（53）として冷却用伝熱管（53）を用いた形態について説明したが、この形態に限定するものではなく、例えば、貯留タンク（41）の外壁面にペルチェ素子等を取り付けて貯留タンク（41）内部を冷却することで、水膜形成部（32）を冷却させるようにしてもよい。
【００７０】
前記水浄化用放電部（31）は、棒状電極（31a）が水膜形成部（32）と平行な姿勢を保った状態で対向するように配設されている。ここで、前記電源（17）から棒状電極（31a）に電圧が印加されると、棒状電極（31a）の先端から水膜形成部（32）の表面に形成された水膜（W）に向かってストリーマ放電が生起される。このストリーマ放電により発生した活性種は、水膜（W）に供給され、水膜（W）中の被処理成分と反応することで、この被処理成分が酸化分解されて除去される。
【００７１】
以上のように浄化された水膜（W）は、水膜形成部（32）の表面から下方へ流下し、貯留タンク（41）内の水と混ざり合う。貯留タンク（41）内の水には、未だ活性種が残存しているので、貯留タンク（41）内では、水膜（W）に含まれていた活性種によって、加湿水中の有害物質の除去や殺菌が行われる。なお、運転動作については、前記実施形態と略同様であるため、説明を省略する。
【産業上の利用可能性】
【００７２】
以上説明したように、本発明は、貯留タンク内の水を安定的に浄化できるという実用性の高い効果が得られることから、きわめて有用で産業上の利用可能性は高い。
【図面の簡単な説明】
【００７３】
【図１】実施形態に係る加湿装置の全体構成を示す斜視図であり、貯留タンクをケーシングから引き出した状態を示すものである。
【図２】加湿装置の内部を表した概略の縦断面図である。
【図３】加湿装置の前側寄りの内部を表した概略の縦断面図である。
【図４】加湿ユニットの斜視図である。
【図５】水浄化ユニットの概略の構成を示す側面図である。
【符号の説明】
【００７４】
31    水浄化用放電部（放電処理手段）
32    内壁面（水膜形成部）
36    加熱ヒータ（加熱手段）
41    貯留タンク
52    構造体（水膜形成部）
53    冷却用伝熱管（冷却手段）
W    水膜
【図１】
2009198067.tif 000003
【図２】
2009198067.tif 000004
【図３】
2009198067.tif 000005
【図４】
2009198067.tif 000006
【図５】
2009198067.tif 000007